(57)【要約】【課題】ドアや引出しなどの開閉構造物に取り付けて、開閉された時刻および回数を蓄積し、表示することのできる小形の開閉時刻記録装置を提供する。【解決手段】この開閉時刻記録装置は、開閉構造物の可動部と固定部にそれぞれ近接して取り付けられる永久磁石と装置本体からなり、装置本体が、液晶表示部と、操作部と、制御プロセッサと、磁気センサと、時刻計数回路と、時刻記録用メモリと、電池とを含んで一体化されて構成されると共に、開閉構造物が開閉されると、磁気センサが永久磁石の磁力の強さをスイッチ動作として感知し、これを契機にして制御プロセッサが、時刻計数回路の示す時刻を時刻記録用メモリに書き込むと共に、液晶表示部に表示するように制御した。【選択図】図１
2006031188.tif 000002
【特許請求の範囲】
【請求項１】
開閉構造物の可動部と固定部に、それぞれ近接して取り付けられる永久磁石と装置本体からなり、前記装置本体が、液晶表示部と、操作部と、制御プロセッサと、磁気センサと、時刻計数回路と、時刻記録用メモリと、電池とを含んで一体化されて構成されると共に、
前記開閉構造物が開閉されると、前記磁気センサが前記永久磁石の磁力の強さをスイッチ動作として感知し、これを契機にして前記制御プロセッサが、前記時刻計数回路の示す時刻を前記時刻記録用メモリに書き込むと共に、前記液晶表示部に表示するように制御したことを特徴とする開閉時刻記録装置。
【請求項２】
前記制御プロセッサが、前記時刻記録用メモリに開閉時刻を書き込む際、前記開閉時刻のほかに開閉回数を更新して書き込むことを特徴とする請求項１に記載の開閉時刻記録装置。
【請求項３】
前記操作部のスイッチ操作により設定され、前記液晶表示部に通常表示される前記開閉時刻が、最後に開閉された時刻、最後に開閉された時刻から１つ前の開閉時刻、最後に開閉された時刻から２つ前の開閉時刻のいずれかにできることを特徴とする請求項１に記載の開閉時刻記録装置。
【発明の詳細な説明】
【技術分野】
【０００１】
本発明は、ドアや机の引出しなどが開閉されたことを感知し、開閉された時刻および回数を不揮発性メモリに記憶し、表示できるようにした開閉時刻記録装置に関する。
【背景技術】
【０００２】
ビンなどにつめられた食品の蓋の部分には封印シールが貼られている。この封印シールは、蓋の開閉を妨げるものではなく、一度蓋が開けられるとシールが破れるから、元通りに蓋を閉めても、開けたことがわかる仕掛けである。
同じような着想で、ドアや机の引出しなどに簡単にシールできて、開けられたことがわかると便利である。
防犯装置の一例として、ドアや窓等の出入口に開閉を検知する開閉検知センサが設けられ、ドアなどが開けられると、離れた場所の警報ブザーが鳴る装置が知られている。（特許文献１参照）
しかし、子供部屋のドアや机の引出しには、警報ブザーをつけるまでもない。しかし、そのような場合であっても、開閉された時刻の履歴がわかる装置が望まれている。
【特許文献１】特開平９−１８５７７４号公報
【発明の開示】
【発明が解決しようとする課題】
【０００３】
本発明は上記のような要望を満たすために創出されたもので、本発明の目的はドアや机の引出しなどの開閉構造物に取り付けて、開閉された時刻および回数を蓄積し表示する小形の開閉時刻記録装置を提供することにある。
【課題を解決するための手段】
【０００４】
本発明による開閉時刻記録装置は、開閉構造物の可動部と固定部に、それぞれ近接して取り付けられる永久磁石と装置本体からなり、前記装置本体が、液晶表示部と、操作部と、制御プロセッサと、磁気センサと、時刻計数回路と、時刻記録用メモリと、電池とを含んで一体化されて構成されると共に、前記開閉構造物が開閉されると、前記磁気センサが前記永久磁石の磁力の強さをスイッチ動作として感知し、これを契機にして前記制御プロセッサが、前記時刻計数回路の示す時刻を前記時刻記録用メモリに書き込むと共に、前記液晶表示部に表示するように制御したことを特徴とする。
【０００５】
前記制御プロセッサが、前記時刻記録用メモリに開閉時刻を書き込む際、前記開閉時刻のほかに開閉回数を更新して書き込むことが好ましい。
【０００６】
前記操作部のスイッチ操作により設定され、前記液晶表示部に通常表示される前記開閉時刻が、最後に開閉された時刻、最後に開閉された時刻から１つ前の開閉時刻、最後に開閉された時刻から２つ前の開閉時刻のいずれかにできることが好ましい。
【発明の効果】
【０００７】
（１）ドアや引出しの開閉された時刻を知ることができる。例えば、子供部屋であれば、勝手に入らないという家族間の合意を確認できる。（２）複数の引出しが備えられた収納箱に装着して、各引出しの開閉回数を計測し、取り出し回数の多い下段の引き出しに収納された物を、取り出し易い上段に入れ替えるといったことに利用できる。（３）表示部に通常表示する開閉時刻を、前回すなわち最後に開閉された時刻とするか、最後に開閉された時刻から１つ前の古い開閉時刻とするか、最後に開閉された時刻から２つ前の古い開閉時刻とするか、操作部から設定できるので、本時刻開閉記録装置が取り付けられる場所に応じて、ドアや引出しの最後に開閉された時刻が一目で確認することができる。
【発明を実施するための最良の形態】
【０００８】
以下、本発明の好ましい実施例を、図面を参照して説明する。
【実施例】
【０００９】
図１は、本発明による実施例で、開閉時刻記録装置の外観図である。図１に示すように、開閉時刻記録装置１は、装置本体２と永久磁石３からなる。
装置本体２には、液晶表示部４が設けられ、また、操作部には操作ボタン５、６、７が備えられる。液晶表示部４は、開閉構造物が開けられた時刻を表示するものである。その形状は薄型で長尺形である。どこにでも取り付けられるように、底面には接着テープが用意されている。永久磁石３は板状で、装置本体２に内蔵された後述の磁気センサの内部スイッチをオンまたはオフさせる。永久磁石３は、所定の磁力を有しており、装置本体２に近接して平行に設置され、磁気センサの内部スイッチをオンさせることができるものとする。永久磁石３には、取付用ネジ孔１１が設けられる。
【００１０】
図２は、開閉時刻記録装置１が机の引出しに取り付けられた例である。装置本体２を机の引出し３０の前面に、永久磁石はテーブルの裏側に、それぞれ近接するように取り付ける。引出し３０が引き出されると、永久磁石３と装置本体２が、近接された状態から、離された状態になるので、これによって装置本体２に内蔵された磁気センサの内部スイッチがオンからオフに変化する。
装置本体２と永久磁石３は、このように開閉構造物の可動部と固定部にそれぞれが装着されれば良いので、図２のような例に限らず、引出しの内部など外から見えない場所に装着されても良い。また、開閉時刻記録装置は、本棚のガラス戸やドアなどにも取り付けることもできる。
【００１１】
図３は、開閉時刻記録装置の、装置本体２に実装される電子回路の構成図である。図３に示すように、装置本体２は、制御プロセッサ２０、操作部２４、磁気センサ２３、液晶表示部４、電池２７などが備えられる。時刻計数回路は、専用回路は設けず、代わりに制御プロセッサ２０のプログラムと制御プロセッサ内のハードウェアでもって、時刻計数回路を実現している。
【００１２】
制御プロセッサ２０は、制御用の１チップマイコンで、プログラム格納用のフラッシュメモリ２１を有している。内蔵プログラムには、時刻計数プログラム、液晶表示の制御プログラム、操作部のボタン制御プログラム、磁気センサの内部スイッチの動作監視プログラムなどがある。時刻は、年月日時分のことで、制御プロセッサ２０のプログラムで計数している。通常、時刻は、リアルタイムクロック（ＲＴＣ）チップを使用し、制御プロセッサ２０に、定期的な割り込みを出さして、制御プロセッサ２０がＲＴＣの計数した年月日時分を読み取ることで実現される。ここでは、制御プロセッサ２０の負荷が少なく、開閉された時刻に格別の精度が要求されるものではないので、制御プロセッサ２０自身で、時刻を計数した。なお、操作部の操作ボタン５、６、７に時刻の遅れ進みを調整する時刻合せの機能を設けている。
【００１３】
発振器２２の周波数は、制御プロセッサ２０に処理性能が要求されないので、３２．７６８ｋＨｚとした。このパルスで０．０６２５秒（１／１６秒）を計数するため、１１ビットのカウンタを設けた。このカウンタで２０４８回を数える毎に割り込みを発生させる。そうすると、この間は、制御プロセッサ２０は他の処理を行うことができ、この割り込みを契機にして制御プロセッサは、管理する年月日時分を更新する。即ち、割り込みで０．０６２５秒時刻を進めるように制御を行う。１チップマイコンに、１１ビットの割り込みカウンタが備えられているならこれを利用し、備えられていないなら専用のカウンタを用意する。
【００１４】
磁気センサ２３は、具体的にはリードスイッチ４０を使用した。ドアまたは引出しが閉じられた状態をスイッチのオンに、ドアまたは引出しが開けられた状態をスイッチのオフに対応させている。なお、磁気センサとしてはホール素子を使用してもよい。ホール素子は磁石が接近すると、０．１〜０．２Ｖ程度の電圧を出せるので、やや回路が大きくなるが、増幅してオンまたはオフに見せるスイッチを形成することができる。
ドアや引出しのすき間は、一般に狭いので、接触式のメカニカルスイッチを設置することはやや難しい。同様に、光学式のセンサスイッチで、例えば光を遮断したり通過させたりするフォトインタラプタ式のものや、光の反射を利用するフォトリフレクタ式のものは、光を常時出しておくから電池の寿命を短くする。
【００１５】
操作部２４には、図１に示す操作ボタン５、６、７が実装されており、制御プロセッサ２０は、これら操作ボタン５、６、７のオンまたはオフを知ることができる。なお、実施例ではボタン式のスイッチとしたが、タッチパネル式のスイッチを設けてもよい。タッチパネルは、例えばスイッチが押下されたことをシートに埋め込まれた抵抗の変化として検出する。装置の高さを抑えることができるし、また、透明なものがあるから、表示部に重ねることもできる。
【００１６】
時刻記録用メモリ２６は、ＥＥＰＲＯＭ（書き換え可能な不揮発性メモリ）とすることができる。制御プロセッサ２０が、内部にこのようなメモリを備えているのであればこれを利用する。その容量は、年月日時分の時刻と回数、その他を合せても１６バイト程度であるから、これが複数個格納できるものであればよい。制御プロセッサ２０の内部にこのようなメモリがない場合、外付けで設ければよい。外付けの不揮発性メモリと制御プロセッサ２０とのインタフェースは２線式の１２Ｃインタフェースなどを採用して、ピン数を増やさないようにする。不揮発性メモリを採用した場合、電池が抜かれても、あるいは電源がオフとなっても、データは再度読み出すことができる。
【００１７】
液晶コントローラ２５と液晶表示部４は、ここでは小型化のため６桁で構成し、数字をスクロールして表示した。例えば、７セグメントの液晶を使用し、時刻データが、２００３年１１月２０日１６時３０分で回数が１２回なら、引出し円の中に示すように、「０３．１１．２０  １６．３０  １２」の１２桁の数字を、常時、右から左にスクロールしながら表示する。
電池２７は、リチウム電池で、３．６Ｖの出力が出せるものである。
【００１８】
図４は、磁気センサ２３がリードスイッチの場合の動作説明図である。図４に示すように、リードスイッチ４０は、不活性ガスを充填したガラス管４３に２つのリード片４１、４２を設けてスイッチ動作させるように構成したものである。（ａ）は、永久磁石３が近くにない場合を示したもので、リード片４１、４２はオフ（離れた状態）となっている。永久磁石３がリードスイッチ４０に近接されると、（ｂ）に示すように、リード片４１、４２はオン（接触した状態）となる。Ｎは磁石のＮ極、Ｓは磁石のＳ極を示している。
【００１９】
リード片４２はＧＲＤ（グランド）に接続し、リード片４１は３．６Ｖに抵抗を介して接続し、制御プロセッサ２０の入力ピンにつなぐとする。制御プロセッサ２０は、この入力ピンに３．６Ｖのハイレベルが見えるなら、リードスイッチ４０がオフされた状態であって、リードスイッチ４０の近くに永久磁石３がなく、ドアまたは引出しが開かれた状態にあると把握する。この入力ピンに０Ｖのローレベルが見えるなら、リードスイッチ４０がオンされた状態であって、リードスイッチ４０の近くに永久磁石３があり、ドアまたは引出しが閉じられた状態にあると把握する。
【００２０】
制御プロセッサ２０は、リードスイッチ４０がオンからオフ、およびまたはオフからオンになることを、この入力ピンを所定の時間間隔で常時監視し、連続した２つの時間間隔での値が変化していないか調べることで検出できる。最初にチェックした時間ではリードスイッチがオンで、次にチェックした時間ではリードスイッチがオフなら、そこがドアまたは引出しの開けられた時点であるから、その時刻を時刻記録用メモリ２６の所定のエリアに書き込む。記録する際、回数は＋１して格納する。格納エリアは複数個設けて、先頭から使用し、最後まで行ったら再度先頭も戻って使用する。
【００２１】
今、Ａ番地に最後に開閉操作の行われた時刻及び回数のデータが格納されており、次に格納すべき番地がＡ＋１を指していたとする。通常、表示部に表示するのを、Ａ番地のもの、Ａ−１番地のもの、Ａ−２番地のものの中から、操作部のスイッチ操作で設定できる。
時刻記録用メモリ２６の、格納エリアは複数個必要である。開閉時刻記録装置をドアの室内側に取り付ける場合、入室してから、開閉時刻記録装置の表示部を見ることになるから、時刻および回数の格納エリアが１個しかないと、今入室のために開けられた時刻が表示されてしまい、その前に開けられた時刻が上書きで消されてしまうからである。
【００２２】
図２のように、引出しの前面に開閉時刻記録装置１が取り付けられた場合、引出しを開閉する必要はなく、最後に開閉された時刻および回数が表示部に表示されることでよい。机の中に開閉時刻記録装置１が設置される場合、最後に開閉された時刻と回数を表示するのではなく、必ず引出しを開けて開閉時刻記録装置１を見るから、最後の記録ではなくそれより１つ前の開閉時刻と回数を表示するように設定しておくのがよい。部屋のドアの内側に取り付けられた場合、入室のためにドアが開かれ、入室したらドアが閉じられるから、開と閉の２回の操作があって後、表示内容がチェックされるので、表示部の表示は時刻記録用メモリに最後に格納されたデータから２つ前のものが表示されるように設定するのがよい。
【００２３】
操作部の操作ボタンによって、いくつかの指示を出すことができる。このような操作ボタンの操作は、まず２つの操作ボタンを同時に押下して、モードを変えることによって行う。
モードを「時刻調整モード」にすると、操作ボタン５は、１回押す毎に「年」「月」「日」「時」「分」を選択し、操作ボタン６が選択された数値を増やす操作ボタンに、操作ボタン７が選択された数値を減らす操作ボタンになる。
モードを「初期設定モード」にすると、操作ボタン５は、「回数」をリセットするものとなる。操作ボタン６を押すと、時刻記録用メモリ２６のアドレスを１つ減じて、その内容を表示する。これを繰り返すと時刻記録用メモリの内容をすべて見ることができる。操作ボタン７を押すと、時刻記録用メモリ２６のアドレスを１つ増やして、その内容を表示する。
このほかに、表示部に時刻を表示するように指定して時計として使うこともできる。ドアや引出しの、開と閉のそれぞれの時刻を記録せず、必ずペアである場合は、どちらか一方のみを記録するようにも設定できる。ドアや引出しの、開から閉までの時間数を記録するようにも設定できる。
【００２４】
本開閉時刻記録装置の薄型化を図るため、制御プロセッサ２０はベアチップを使用することが望ましい。また、本開閉時刻記録装置は、永久磁石が上下どちら側に設置されても磁気センサが作動するように長尺型としたが、長方形型や正方形型などとしてもよい。この場合、永久磁石は少し強力なものを選定する必要があるが、制御回路の実装エリアを大きくでき、また、表示桁数も増やすことができる利点がある。
【産業上の利用可能性】
【００２５】
本発明は、電池駆動で机の引出しやドアなどに簡単に取り付けできて、開閉された時刻と回数の履歴をとるものであるから、日用品としても計測ツールとしても適用できる。
【図面の簡単な説明】
【００２６】
【図１】本発明による実施例で、開閉時刻記録装置の外観図である。
【図２】開閉時刻記録装置が机の引出しに取り付けられた例である。
【図３】本発明による開閉時刻記録装置に実装される電子回路の構成図である。
【図４】リードスイッチの動作説明図である。（ａ）はオフ状態を示す。（ｂ）はオン状態を示す。
【符号の説明】
【００２７】
１    開閉時刻記録装置
２    装置本体
３    永久磁石
４    液晶表示部
５、６、７    操作ボタン
１１    取付用ネジ孔
２０    制御プロセッサ
２１    フラッシュメモリ
２２    発振器
２３    磁気センサ
２４    操作部
２５    液晶コントローラ
２６    時刻記録用メモリ
２７    電池
３０    机の引出し
４０    リードスイッチ
４１、４２    リード片
４３    ガラス管
【図１】
2006031188.tif 000003
【図２】
2006031188.tif 000004
【図３】
2006031188.tif 000005
【図４】
2006031188.tif 000006